(57)【要約】      （修正有）【課題】立体装飾図柄層を有する切取り式ブラジャー構造を提供する。【解決手段】カップ部本体１や複数の第一図柄層２、複数の縫製条３、複数の第二図柄層４及び装飾網層５が、備えられ、カップ部本体は、併設した複数のシーツ１１からなり、カップ部本体は、外凸表面１２と内凹表面を備え、複数の第一図柄層が、カップ部本体の外凸表面或いは、外凸表面と内凹表面に設置され、複数の縫製条は、カップ部本体の外凸表面にある複数のシーツの併設位置に縫製されて固定され、複数の第二図柄層は、第一図柄層に合わせて、縫製条表面に設置されて、カップ部本体の外凸表面にある縫製線が隠され、装飾網層は、カップ部本体の外凸表面にある第一図柄層と第二図柄層の外側に設置され、装飾網層に、花紋図柄５１が形成され、第一図柄層と第二図柄層とが、装飾網層から露出でき、これにより、より美観になり、また、階層とカラーの変化の立体視覚効果が実現される。【選択図】図１
0003193144.tif 000002
【実用新案登録請求の範囲】
【請求項１】
ブラジャー本体に、二つのカップ部が縫製され、両側辺から、ベルトが延びるブラジャーであって、
上記カップ部に、
複数のシーツが並列され、外凸表面と内凹表面を有するカップ部本体と、
カップ部本体の外凸表面に設置され、カップ部本体に対応したシーツが設置される複数の第一図柄層と、
カップ部本体にある隣り合うシーツの併設長さに合わせて設置され、カップ部本体の外凸表面にある複数のシーツの併設位置に縫製固定される複数の縫製条と、
第一図柄層に合わせて、縫製条の表面に設置され、第一図柄層とともに、図柄が形成され、カップ部本体の外凸表面にある縫製線を隠す複数の第二図柄層と、
カップ部本体の外凸表面の第一図柄層と第二図柄層の外側に設置され、透視可能であり、上記第一図柄層と第二図柄層が、装飾網層から透視されて、階層が形成された立体視覚効果が表現される装飾網層と、
が含有される、
ことを特徴とする立体装飾図柄層を有する切取り式ブラジャー構造。
【請求項２】
上記第一図柄層と第二図柄層とが、同一或いは相対の図柄であることを特徴とする請求項１に記載の立体装飾図柄層を有する切取り式ブラジャー構造。
【請求項３】
上記第一図柄層と第二図柄層とが、それぞれ、一色或いは一色以上のカラーであることを特徴とする請求項１に記載の立体装飾図柄層を有する切取り式ブラジャー構造。
【請求項４】
上記第一図柄層と第二図柄層とが、印刷や焼絵、圧印、ジャカード、バーンオフ或いは編成によって作製されることを特徴とする請求項１から３のいずれか1項に記載の立体装飾図柄層を有する切取り式ブラジャー構造。
【請求項５】
上記装飾網層に、花紋図柄が形成されることを特徴とする請求項１に記載の立体装飾図柄層を有する切取り式ブラジャー構造。
【請求項６】
ブラジャー本体に、二つのカップ部が縫製され、両側辺から、ベルトが延びるブラジャーであって、
上記カップ部に、
複数のシーツが並列され、外凸表面と内凹表面を有するカップ部本体と、
カップ部本体の外凸表面と内凹表面に設置され、カップ部本体の外凸表面に設置された第一図柄層が、各シーツに対応する複数の第一図柄層と、
カップ部本体にある隣り合うシーツの併設長さに合わせて設置され、カップ部本体の外凸表面にある複数のシーツの併設位置に縫製固定される複数の縫製条と、
第一図柄層に合わせて、縫製条の表面に設置され、第一図柄層とともに、図柄が形成され、カップ部本体の外凸表面にある縫製線を隠す複数の第二図柄層と、
カップ部本体の外凸表面の第一図柄層と第二図柄層の外側に設置され、透視可能であり、上記第一図柄層と第二図柄層が、装飾網層から透視されて、階層が形成された立体視覚効果が表現される装飾網層と、
が含有される、
ことを特徴とする立体装飾図柄層を有する切取り式ブラジャー構造。
【請求項７】
上記第一図柄層と第二図柄層が、同一或いは相対の図柄であることを特徴とする請求項６に記載の立体装飾図柄層を有する切取り式ブラジャー構造。
【請求項８】
上記第一図柄層と第二図柄層とが、それぞれ、一色或いは一色以上のカラーであることを特徴とする請求項６に記載の立体装飾図柄層を有する切取り式ブラジャー構造。
【請求項９】
上記第一図柄層と第二図柄層とが、印刷や焼絵、圧印、ジャカード、バーンオフ或いは編成によって作製されることを特徴とする請求項６から８のいずれか１項に記載の立体装飾図柄層を有する切取り式ブラジャー構造。
【請求項１０】
上記装飾網層に、花紋図柄が形成されることを特徴とする請求項６に記載の立体装飾図柄層を有する切取り式ブラジャー構造。
【考案の詳細な説明】
【技術分野】
【０００１】
本考案は、ブラジャーに関し、特に、カップ部の縫製線を隠して、階層的に立体視覚効果が得られる立体装飾図柄層を有する切取り式ブラジャー構造に関する。
【背景技術】
【０００２】
女性曲線美を強調する現代社會において、絶妙な体付きを有しながら、豊満な胸部を有することが、すべての女性の希望であるため、関連業者によって、集中して乳房をアップする効果の得られるブラジャーが設計され、一般のブラジャーは、図８のように、ブラジャー本体Ａに、二つのカップ部Ｂが縫製され、また、両側辺からベルトＣが伸び、カップ部Ｂの上縁とベルトＣとの間に、肩帯Ｄが設置され、これにより、ブラジャーを着けてから、衣服を着ると、胸部を彫刻して、豊満になる効果が実現される。
【０００３】
既存のカップ部Ｂの成型は、打抜き式と切取り式の二種類があり、その中、打抜き式カップ部Ｂは、上下モールドで、熱間圧縮成型され、一枚式であるため、加工が、容易で快速的で、また、外型美観であるが、カップ部Ｂは、モールドを必要とするため、生産上、制限され、また、打抜き式カップ部は、一体成型であるため、必要とする材料の面積が大きく、コストが高くなり、また、生産過程において、カラーと布地が、ともに、加工温度によって影響されて制限され、また、従来の切取り式カップ部Ｂは、図８乃至１０のように、中間層の棉の上側に、定型網布地が貼り付けられ、下側に、棉布が貼り付けられた後、予めに裁断された複数のシーツ１０を併設して、複数の網布地縫製条２０を、上記複数のシーツ１０のそれぞれの併設位置に縫製固定させ、そして、外側に、透視可能なレース刺繍からなる装飾網層３０が貼り付けられ、上記装飾網層３０に、花紋図柄３０１が形成され、これにより、上記切取り式カップ部Ｂは、打抜き式カップ部Ｂよりも低くなるコストで、快速的に生産でき、また、各部位が、異なる模様に設定され、そのため、体に対する支持性が向上され、よりよいアップ集中と被覆貼り付き効果が得られるが、上記装飾網層３０が、透視可能のレース刺繍であるため、コストが高く、また、その装飾網層３０の花紋図柄３０１が単一層平面状であるから、階層の視覚効果を得ず、装飾効果が制限され、より多様化のファッションに合わせて女性の美しさを表現することができない問題がある。
【０００４】
本考案者は、上記欠点を解消するため、慎重に研究し、また、学理を活用して、有効に上記欠点を解消でき、設計が合理である本考案を提案する。
【考案の開示】
【考案が解決しようとする課題】
【０００５】
本考案の目的は、カップ部本体の外凸表面に、第一図柄層が設置され、カップ部本体の外凸表面に、複数のシーツが、それぞれ、併設位置に、縫製条によって縫製されて固定され、上記縫製条の表面に、第一図柄層に合わせた第二図柄層が設置され、これにより、新規な設計感が実現され、また、コストと生産時間を節約でき、上記第一図柄層と第二図柄層によって、図柄が形成されて、カップ部本体の外凸表面にある縫製線が隠され、全体感と美観が向上され、また、上記第一図柄層と第二図柄層が、外側の装飾網層に合わせて、上記第一図柄層と第二図柄層とが、上記装飾網層から露出でき、階層やカラーの変化による立体視覚効果が得られ、そのため、より多様化のファッションに合わせて女性の美しさを表現できる立体装飾図柄層を有する切取り式ブラジャー構造を提供する。
【課題を解決するための手段】
【０００６】
請求項１の考案は、ブラジャー本体に、二つのカップ部が縫製され、両側辺から、ベルトが延びるブラジャーであって、上記カップ部に、    複数のシーツが並列され、外凸表面と内凹表面を有するカップ部本体と、カップ部本体の外凸表面に設置され、カップ部本体に対応したシーツが設置される複数の第一図柄層と、カップ部本体にある隣り合うシーツの併設長さに合わせて設置され、カップ部本体の外凸表面にある複数のシーツの併設位置に縫製固定される複数の縫製条と、第一図柄層に合わせて、縫製条の表面に設置され、第一図柄層とともに、図柄が形成され、カップ部本体の外凸表面にある縫製線を隠す複数の第二図柄層と、カップ部本体の外凸表面の第一図柄層と第二図柄層の外側に設置され、透視可能であり、上記第一図柄層と第二図柄層が、装飾網層から透視されて、階層が形成された立体視覚効果が表現される装飾網層と、が含有される、ことを特徴とする立体装飾図柄層を有する切取り式ブラジャー構造である。
【０００７】
請求項２の考案は、上記第一図柄層と第二図柄層とが、同一或いは相対の図柄であることを特徴とする請求項１に記載の立体装飾図柄層を有する切取り式ブラジャー構造である。
【０００８】
請求項３の考案は、上記第一図柄層と第二図柄層とが、それぞれ、一色或いは一色以上のカラーであることを特徴とする請求項１に記載の立体装飾図柄層を有する切取り式ブラジャー構造である。
【０００９】
請求項４の考案は、上記第一図柄層と第二図柄層とが、印刷や焼絵、圧印、ジャカード、バーンオフ或いは編成によって作製されることを特徴とする請求項１から３に記載の立体装飾図柄層を有する切取り式ブラジャー構造である。
【００１０】
請求項５の考案は、上記装飾網層に、花紋図柄が形成されることを特徴とする請求項１に記載の立体装飾図柄層を有する切取り式ブラジャー構造である。
【００１１】
請求項６の考案は、ブラジャー本体に、二つのカップ部が縫製され、両側辺から、ベルトが延びるブラジャーであって、上記カップ部に、
複数のシーツが並列され、外凸表面と内凹表面を有するカップ部本体と、カップ部本体の外凸表面と内凹表面に設置され、カップ部本体の外凸表面に設置された第一図柄層が、各シーツに対応する複数の第一図柄層と、カップ部本体にある隣り合うシーツの併設長さに合わせて設置され、カップ部本体の外凸表面にある複数のシーツの併設位置に縫製固定される複数の縫製条と、第一図柄層に合わせて、縫製条の表面に設置され、第一図柄層とともに、図柄が形成され、カップ部本体の外凸表面にある縫製線を隠す複数の第二図柄層と、カップ部本体の外凸表面の第一図柄層と第二図柄層の外側に設置され、透視可能であり、上記第一図柄層と第二図柄層が、装飾網層から透視されて、階層が形成された立体視覚効果が表現される装飾網層と、が含有される、ことを特徴とする立体装飾図柄層を有する切取り式ブラジャー構造である。
【００１２】
請求項７の考案は、上記第一図柄層と第二図柄層が、同一或いは相対の図柄であることを特徴とする請求項６に記載の立体装飾図柄層を有する切取り式ブラジャー構造である。
【００１３】
請求項８の考案は、上記第一図柄層と第二図柄層とが、それぞれ、一色或いは一色以上のカラーであることを特徴とする請求項６に記載の立体装飾図柄層を有する切取り式ブラジャー構造である。
【００１４】
請求項９の考案は、上記第一図柄層と第二図柄層とが、印刷や焼絵、圧印、ジャカード、バーンオフ或いは編成によって作製されることを特徴とする請求項６から８に記載の立体装飾図柄層を有する切取り式ブラジャー構造である。
【００１５】
請求項１０の考案は、上記装飾網層に、花紋図柄が形成されることを特徴とする請求項６に記載の立体装飾図柄層を有する切取り式ブラジャー構造である。
【００１６】
以下、図面を参照しながら、本考案の特徴や技術内容について、詳しく説明するが、それらの図面等は、参考や説明のためであり、本考案は、それによって制限されることが無い。
【考案を実施するための最良の形態】
【００１７】
図１乃至図５のように、本考案に係る立体装飾図柄層を有する切取り式ブラジャー構造は、ブラジャー本体Ａに、二つのカップ部Ｂが縫製され、両側辺からベルトＣが伸び、また、カップ部Ｂの上縁とベルトＣとの間に、肩帯Ｄが伸び、上記カップ部Ｂに、カップ部本体１と複数の第一図柄層２、複数の縫製条３、複数の第二図柄層４及び装飾網層５が備えられ、その中、上記カップ部本体１は、中間層の棉の上側に、基布が貼り付けられ、下側に、棉布が貼り付けられた後、予めに裁断された複数のシーツ１１を併設し、上記カップ部本体１は、外凸表面１２と内凹表面１３を有し、上記複数の第一図柄層２が、カップ部本体１の各シーツ１１に対応して、カップ部本体１の外凸表面１２に設置され、上記第一図柄層２は、単一或いは一つ以上のカラーを有し、印刷や焼絵、圧印、ジャカード、バーンオフ或いは編成によって作製され、上記複数の縫製条３は、カップ部本体１の隣り合うシーツ１１の併設長さに合わせて設置されて、カップ部本体１の外凸表面１２にある複数のシーツ１１の各併設位置に縫製固定され、上記複数の第二図柄層４は、第一図柄層２に合わせて縫製条３表面に設置され、上記第二図柄層４は、第一図柄層２に合わせて、図柄が形成され、カップ部本体１の外凸表面１２にある縫製線が隠され、上記第二図柄層４は、第一図柄層２と、同一或いは相対的な図柄で、おなじように、単一或いは一つ以上のカラーを有し、印刷や焼絵、圧印、ジャカード、バーンオフ或いは編成によって作製され、上記装飾網層５は、カップ部本体１の外凸表面１２にある第一図柄層２と第二図柄層４の外側に設置され、透視可能的で、上記装飾網層５は、花紋図柄５１が形成され、上記第一図柄層２と第二図柄層４は、上記透視可能な装飾網層５から露出でき、また、上記第一図柄層２と第二図柄層４は、上記装飾網層５の花紋図柄５１に合わせて、階層やカラーの変化の立体視覚効果が実現される。
【００１８】
また、本考案に係る立体装飾図柄層を有する切取り式ブラジャー構造によれば、上記複数の第一図柄層２は、図６と図７のように、上記カップ部本体１の外凸表面１２と内凹表面１３に設置され、また、カップ部本体１の外凸表面１２にある第一図柄層２は、各シーツ１１に対応して設置され、上記第一図柄層２は、単一或いは一つ以上のカラーを有し、上記第一図柄層２は、印刷や焼絵、圧印、ジャカード、バーンオフ或いは編成によって作製され、これにより、上記第一図柄層２は、第二図柄層４に合わせて、図柄が形成されて、カップ部本体１の外凸表面１２にある縫製線が隠され、また、上記第一図柄層２は、表示機能を発揮できる商標として、カップ部本体１の内凹表面１３に設置される。
【００１９】
上記具体的な実施例の構造によれば、下記の利点が得られ、
本考案に係る立体装飾図柄層を有する切取り式ブラジャー構造によれば、カップ部本体１の外凸表面１２に、第一図柄層２が設置され、カップ部本体１の外凸表面１２にある複数のシーツ１１の併設位置に、それぞれ、縫製条３が縫製されて固定され、上記縫製条３の表面に、第一図柄層２に合わせた第二図柄層４が設置され、これにより、新規な設計感が実現され、また、コストと生産時間を節約でき、また、従来の切取り式ブラジャー構造の網布地縫製条は、構造を強化する保護機能だけを有し、カップ部本体の亀裂を防止でき、本考案によれば、上記第一図柄層２と第二図柄層４とにより、図柄が形成されて、カップ部本体１の外凸表面１２にある縫製線が隠され、全体感と美観が向上され、また、上記第一図柄層２と第二図柄層４が、外側の透視可能な装飾網層５に合わせて、上記第一図柄層２と第二図柄層４とが、上記装飾網層５から露出でき、また、装飾網層５の花紋図柄５１に合わせて、階層やカラーの変化による立体視覚効果が得られ、そのため、より多様化のファッションに合わせて女性の美しさを表現でき、ユーザーの購入意欲が向上され、市場競争力が強くなる。
【００２０】
そのため、本考案は、より進歩的かつより実用的で、法に従って実用新案登録請求を出願する。
【００２１】
以上は、ただ、本考案のより良い実施例であり、本考案は、それによって制限されることが無く、本考案に係わる実用新案登録請求の範囲や明細書の内容に基づいて行った等価の変更や修正は、全てが、本考案の実用新案登録請求の範囲内に含まれる。
【図面の簡単な説明】
【００２２】
【図１】本考案の分解図
【図２】本考案の半組立て図
【図３】本考案の他の半組立て図
【図４】本考案の断面図
【図５】図４の局部拡大図
【図６】本考案の他の実施例の断面図
【図７】図６の局部拡大図
【図８】従来の分解図
【図９】従来の断面図
【図１０】図９の局部拡大図
【符号の説明】
【００２３】
従来
Ａ  ブラジャー本体
Ｂ  カップ部
Ｃ  ベルト
Ｄ  肩帯
１０  シーツ
２０  網布地縫製条
３０  装飾網層
３０１  花紋図柄
本考案
Ａ  ブラジャー本体
Ｂ  カップ部
Ｃ  ベルト
Ｄ  肩帯
１  カップ部本体
１１  シーツ
１２  外表面
１３  内表面
２  第一図柄層
３  縫製条
４  第二図柄層
５  装飾網層
５１  花紋図柄
【図１】
0003193144.tif 000003
【図２】
0003193144.tif 000004
【図３】
0003193144.tif 000005
【図４】
0003193144.tif 000006
【図５】
0003193144.tif 000007
【図６】
0003193144.tif 000008
【図７】
0003193144.tif 000009
【図８】
0003193144.tif 000010
【図９】
0003193144.tif 000011
【図１０】
0003193144.tif 000012